【事件の表示】
　特許第３３８７４４０号「面照明装置及びこの面照明装置を用いた表示装置及びこの表示装置を用いた携帯機器」の請求項１ないし８に係る特許に対する特許異議の申立てについて、次のとおり決定する。
【結　論】
　訂正を認める。
　特許第３３８７４４０号の請求項１ないし５に係る特許を維持する。
【理　由】
１．手続の経緯
　特許第３３８７４４０号の請求項１〜８に係る発明についての出願は、平成１１年３月１５日に特許出願され、平成１５年１月１０日にその発明について特許権の設定登録がなされ、その後、その請求項１〜８に係る発明の特許について、申立人・太田恵三、済藤隆義そして小林文子よりそれぞれ特許異議の申立てがなされ、取消しの理由が通知され、その指定期間内である平成１７年７月２５日に訂正請求がなされたものである。
２．訂正の適否についての判断
ア．訂正の内容
　訂正の内容は、平成１７年７月２５日付けの訂正請求書及びそれに添付された訂正明細書の記載からみて、以下のとおりである。
（１）訂正事項１
　請求項1〜３を削除する。
（２）訂正事項２
　冒頭に「
導光板を収納する収納部材と、
前記光導入部は前記光源からの光が入射する入射面と入射した光を反射する反射面とを有し、前記反射面は前記導光板の端面であって斜面かつ前記光源付近を中心に扇状に広がる曲面で形成されていて前記光源の真上に配置されており、
面照明装置と、
２
（３）訂正事項３
　請求項１の「前記表示手段に近接して」の後に「、」を追加すると共に、冒頭に「
導光板を収納する収納部材と、
前記光導入部は前記光源からの光が入射する入射面と入射した光を反射する反射面とを有し、前記反射面は前記導光板の端面であって斜面かつ前記光源付近を中心に扇状に広がる曲面で形成されていて前記光源の真上に配置されており、
面照明装置と、
（４）訂正事項４
　請求項５，６，８の各発明を新たな請求項２，３，５の発明とし、これらの発明の従属する請求項の番号を、上記請求項の番号の変更に整合するように訂正する。
イ．訂正の目的の適否、新規事項の有無及び拡張・変更の存否
　上記訂正事項１は、請求項1〜３を削除する訂正であるから、特許請求の範囲の減縮を目的とするものである。
　上記訂正事項２は、請求項４において引用する請求項１の面照明装置における光導入部をより詳細に限定し、請求項４を新たに請求項１とする訂正であるから、特許請求の範囲の減縮を目的とするものであり、そして、請求項４において、「第１の辺」を正しい用語である「第
２
光源からの光が入射する入射面と入射した光を反射する反射面とを有し、前記反射面は導光板の端面であって斜面かつ光源付近を中心に扇状に広がる曲面で形成されていて前記光源の真上に配置されて
　また、上記訂正事項３は、請求項７において引用する請求項１の面照明装置における光導入部をより詳細に限定し、請求項７を新たに請求項４とする訂正であるから、特許請求の範囲の減縮を目的とするものであり、光導入部がそのように構成されることは、前述したように本件特許公報第４頁第８欄第１８〜２５行において説明されている。
　上記訂正事項４は、訂正後の請求項２について、訂正前の請求項４を引用していたものを訂正後の請求項１を引用するものとし、訂正前の請求項５に記載されていた事項をそのまま訂正後の請求項１に限定事項として加えるものであるから、特許請求の範囲の減縮そして誤記の訂正を目的とするものであり、訂正後の請求項３について、訂正前の請求項５を引用していたものを訂正後の請求項２を引用するものとし、訂正前の請求項６に記載されていた事項をそのまま訂正後の請求項１に限定事項として加えるものであるから、特許請求の範囲の減縮そして誤記の訂正を目的とするものであり、訂正後の請求項５について、訂正前の請求項４〜６を引用していたものを訂正後の請求項１〜３を引用するものとし、訂正前の請求項８に記載されていた事項をそのまま訂正後の請求項１〜３に限定事項として加えるものであるから、同じく、特許請求の範囲の減縮そして誤記の訂正を目的とするものである。
　そして、上記訂正事項１〜４の訂正内容は、いずれも特許明細書に記載されていた事項の範囲内のものであって、実質上特許請求の範囲を拡張又は変更するものではないといえる。
ウ．むすび
　以上のとおりであるから、上記訂正は、特許法第１２０条の４第２項及び同条第３項において準用する同法第１２６条第２項及び第３項の規定に適合するので、当該訂正を認める。
３．特許異議の申立てについての判断
ア．　特許異議申立ての概要
　申立人・太田恵三は、本件の請求項１，３に係る発明は、甲第１号証に記載の発明に基いて当業者が容易に発明をすることができたものであるから、特許法第２９条第２項の規定により特許を受けることができないものであり、本件の請求項１，３に係る発明についての特許を取り消すべきであると主張している。
　また、申立人・済藤隆義は、本件の請求項１〜８に係る発明は、甲第１号証乃至甲第６号証に記載の発明に基いて当業者が容易に発明をすることができたものであるから、特許法第２９条第２項の規定により特許を受けることができないものであり、本件の請求項１〜８に係る発明についての特許を取り消すべきであると主張している。
　更に、申立人・小林文子は、本件の請求項１，３，７に係る発明は、甲第１号証乃至甲第５号証に記載の発明に基いて当業者が容易に発明をすることができたものであるから、特許法第２９条第２項の規定により特許を受けることができないものであり、本件の請求項１に係る発明は、甲第６号証に記載された発明であるから、特許法第２９条第１項第３項に該当し特許を受けることができないものであり、本件の請求項１，３に係る発明は、先願に係る甲第７号証に記載された発明と同一であるから、特許法第３９条第１項の規定に違反し特許を受けることができないものであり、本件の請求項１，３，７に係る発明についての特許を取り消すべきであると主張している。
イ．特許法第３９条違反及び第２９条第１項第３号違反について
　本件訂正前の請求項１，３に係る発明の特許について、特許法第３９条第１項の規定に違反してされた旨の異議申立が、申立人・小林文子によりなされ、また、本件訂正前の請求項１に係る発明の特許について、特許法第２９条第１項第３号の規定に違反してされた旨の異議申立が、同じく申立人・小林文子によりなされた。
　しかしながら、本件訂正前の請求項１，３に係る発明の特許は、上記訂正の結果削除され、特許異議申立の対象が存在しないので、特許法第３９条第１項の規定に違反してされたものであるとすることができない。同様に、本件訂正前の請求項１に係る発明の特許は、特許法第２９条第１項第３号の規定に違反してされたものであるとすることもできない。
ウ．特許法第２９条第２項違反について
Ａ．本件の請求項１〜５に係る発明
　上記２で示したように上記訂正が認められるから、本件請求項１〜５に係る発明は、上記訂正請求書に係る訂正明細書の特許請求の範囲の請求項１〜５に記載された事項により特定される次のとおりのものである（訂正事項はアンダーラインを付して示す）。
【請求項１】
  
導光板を収納する収納部材と、光源と、前記光源からの光を面内方向に導入する光導入部と前記光導入部からの光を導く導光部と前記導光部から導かれてきた光を放出する光放出面と前記光放出面と反対側に設けられ光を散乱させる散乱パターンを備えた導光板と、を備え、前記光源が前記導光板の角部に設けられた前記光導入部に近接して配置された面照明装置であって、前記光導入部は前記光源からの光が入射する入射面と入射した光を反射する反射面とを有し、前記反射面は前記導光板の端面であって斜面かつ前記光源付近を中心に扇状に広がる曲面で形成されていて前記光源の真上に配置されており、前記導光板は第１及び第２の外側面を有し前記第１及び第２の外側面の間に前記光導入部が配置されるとともに、前記第１及び第２の外側面と前記光放出面の輪郭との間で前記導光部が形成されており、前記第１の外側面と前記第２の外側面が前記光放出面の輪郭に対して傾斜して設けられ、前記第１及び第２の外側面と前記光放出面の輪郭間で規定される前記導光部の幅を前記光導入部に近い部分よりも前記光導入部から遠い部分の方を狭くしたことを特徴とする面照明装置と、
とを
２
【請求項２】
　液晶表示素子が面照明装置の背面に配置されたことを特徴とする請求項
１
【請求項３】
　液晶表示素子に接続された配線が引き出された側に面照明装置の光源が配置されていることを特徴とする請求項
２
【請求項４】
　表示手段と、データ信号もしくは音声信号の少なくとも一方を送信信号に変換するか受信信号をデータ信号もしくは音声信号の少なくとも一方に変換する変換手段と、前記送信信号及び前記受信信号を送受信するアンテナと、各部を制御する制御手段を備えた携帯機器であって、前記表示手段に近接して
、導光板を収納する収納部材と、光源と、前記光源からの光を面内方向に導入する光導入部と前記光導入部からの光を導く導光部と前記導光部から導かれてきた光を放出する光放出面と前記光放出面と反対側に設けられ光を散乱させる散乱パターンを備えた導光板と、を備え、前記光源が前記導光板の角部に設けられた前記光導入部に近接して配置された面照明装置であって、前記光導入部は前記光源からの光が入射する入射面と入射した光を反射する反射面とを有し、前記反射面は前記導光板の端面であって斜面かつ前記光源付近を中心に扇状に広がる曲面で形成されていて前記光源の真上に配置されており、前記導光板は第１及び第２の外側面を有し前記第１及び第２の外側面の間に前記光導入部が配置されるとともに、前記第１及び第２の外側面と前記光放出面の輪郭との間で前記導光部が形成されており、前記第１の外側面と前記第２の外側面が前記光放出面の輪郭に対して傾斜して設けられ、前記第１及び第２の外側面と前記光放出面の輪郭間で規定される前記導光部の幅を前記光導入部に近い部分よりも前記光導入部から遠い部分の方を狭くしたことを特徴とする面照明装置、
【請求項５】
　表示手段と、データ信号もしくは音声信号の少なくとも一方を送信信号に変換するか受信信号をデータ信号もしくは音声信号の少なくとも一方に変換する変換手段と、前記送信信号及び前記受信信号を送受信するアンテナと、各部を制御する制御手段を備えた携帯機器であって、前記表示手段として請求項
１〜３
Ｂ．引用刊行物等
　当審が取消しの理由Ｉにおいて引用した刊行物１（異議申立人・済藤隆義が提出した甲第１号証）、刊行物２（同じく甲第２号証）、申立人・太田恵三が提出した甲第１号証、申立人・済藤隆義が提出した甲第３〜６号証および申立人・小林文子が提出した甲第１〜６号証には、それぞれ、以下のような発明あるいは事項が記載されている。
（１）刊行物１：特開平１０−２２３０２１号公報
（ａ）「【請求項１】透光性を有する導光板（１０１）と、該
導光板（１０１）の端面に光学的に接続された
発光素子（１０２）は、発光観測面側から見て前記導光板（１０１）の角に相当する隅部で光学的に接続されている
（ｂ）「【０００２】【従来の技術】今日、携帯電話、ノート型パソコンなど各種携帯電子機器が急速に発達してきている。これに伴って、電子機器の動作状態や画像情報等を表示出力する高輝度ディスプレイ装置に対する社会の要求がますます高まりを見せている。例えば、
液晶を利用したディスプレイ装置は夜間や室内など外光の少ない環境下でも使用できるように液晶装置とそのバックライト用の光源により画像表示させてある
（ｃ）「【００１９】即ち、
発光素子からの光は図５
の如く、ある一定の指向角を持った放射状に発光する指向特性を持つ
（ｄ）「【００２６】
発光観測面側から見た導光板の矩形の角などに相当する隅部に発光素子を光学的に接続させるためには、導光板の角を切り取り面取りする
（ｅ）「【００４１】図３（Ａ）の如き、発光素子を発光させると図５の破線の如き発光特性を持つ場合がある。
導光板の形状が正方形などに近い場合
（ｆ）「【００４３】（拡散部）
拡散部とは、マクロ的には点光源として認識される発光素子からの光を、均一な面状に拡散させるために好適に用いられるものである
（ｇ）「【００４４】
具体的な拡散部は、
導光板背面にパターン化された微細な凹凸を施し、凹凸による光の散乱を利用する方法など種々のものが挙げられる
発光素子の指向角に合わせて導光板の側面が形成される
発光素子からの強発光パターンが、隅部を中心とした扇形状と見なすことができる
（ｈ）「【００５４】【実施例】（実施例１）
導光板として、アクリル板を３５×３０ｍｍの長方形に切断し
接続端面
含む）にそれぞれアクリル系樹脂を用いて接着させた。」（同第７頁第１１欄第４２行〜第１２欄第３行）
（ｉ）図５の指向特性において「指向角が略９０°であること」が示され、図１において発光観測面の輪郭が矩形形状をなすものとして示されている。
　上記記載事項（ａ）〜（ｈ）及び図面の図１，５の図示内容を総合すると（特にアンダーラインを付した部分を参照）、上記刊行物１には下記の発明Ａが記載されていると認められる。
［発明Ａ］
　発光素子１０２と、前記発光素子１０２からの光を面内方向に導入する導光板角の面取り部と前記面取り部からの光を導く導光部と前記導光部から導かれてきた光を放出する矩形（長方形）形状の発光観測面と前記導光板背面に設けられ光の散乱を利用するパターン化された微細な凹凸を施した拡散部を備えた導光板１０１と、を備え、前記発光素子１０２が前記導光板１０１の角に相当する隅部に設けられた前記面取り部に近接して配置された面状発光装置であって、前記面取り部は前記発光素子１０２からの光が入射する接続端面を有し、前記導光板１０１は、正方形などに近い矩形形状であって、発光素子１０２の指向角に合わせて略９０°をなす隣接する２つの側面を有し前記隣接する２つの側面の間に前記面取り部が配置されるとともに、前記隣接する２つの側面と前記発光観測面の輪郭との間で前記導光部が形成されており、前記隣接する２つの側面が前記発光観測面の矩形形状の輪郭と一致している面状発光装置と、液晶装置とを備えたディスプレイ装置。
（２）刊行物２：特開平９−２３０３３８号公報
　上記刊行物２には、その公報第２頁第２欄第４〜１４行、第３頁第４欄第２〜９行、第３頁第４欄第２０〜３１行、第３頁第４欄第３２〜３８行の記載内容、及び図面の図１〜４の図示内容を総合すると、下記の事項Ｂが記載されていると認められる。
［事項Ｂ］
  ＬＥＤ２と、前記ＬＥＤ２からの光を面内方向に導入する入射面１ｄと前記入射面１ｄからの光を導く等脚台形状の導光部１ａと前記導光部１ａから導かれてきた光を放出する長方形状の前面と前記前面と反対側に設けられ光を散乱させる長方形状の乱反射層１ｃを備えた拡散板１と、を備え、前記ＬＥＤ２が前記拡散板１の等脚台形状の導光部１ａの上辺部に設けられた前記入射面１ｄに接して配置された照明装置であって、前記入射面１ｄは前記ＬＥＤ２からの光が入射する面を有し、前記拡散板１は等脚台形状の導光部１ａにおいて開き角２θ１（約７０°）をなす２つの等脚辺部を有し前記２つの等脚辺部の間に前記入射面１ｄが配置されるとともに、前記２つの等脚辺部と前記長方形状の前面の上辺部との間で前記導光部１ａが形成されており、前記２つの等脚辺部が前記長方形状の前面の上辺部に対して傾斜して設けられ、前記２つの等脚辺部と前記長方形状の前面の上辺部間で規定される前記導光部１ａの幅を前記入射面１ｄに近い部分よりも前記入射面１ｄから遠い部分の方を広くした照明装置と、液晶表示器５とを備えた表示装置。
（３）申立人・太田恵三が提出した甲第１号証：特開平１０−２８３８１７号公報
　上記甲号証には、その公報第２頁左欄第４５行〜右欄第１４行の【０００１】、【０００２】の記載内容、同第４頁右欄第２５〜４２行の【００１８】の記載内容、同第５頁左欄第４〜１７行の【００２０】の記載内容及び同第６頁右欄第２０〜３７行の【００３５】の記載内容、そして図１及び１５の図示内容を総合すると、下記の［事項Ｃ］が記載されていると認められる。
［事項Ｃ］
　ＬＥＤ２と、前記ＬＥＤ２からの光を線光源化して出射面３ａより出射するくさび形状の導光体３と、前記線状化された光を光入射端面４ａにおいて入射し面光源化して放出する出光面と前記出光面と反対側に設けられ光を散乱させる凹凸パターンを備えた矩形形状の導光板４と、を備え、前記ＬＥＤ２が前記導光板４のコーナー部に配置された窓部３２に近接して配置されたバックライト１，３１であって、前記導光板４はその矩形形状の２辺を前記光入射端面４ａとし、これらの光入射端面４ａに前記導光体３の出射面３ａを繋げたものであって、前記導光体３はＬＥＤ２から離れるにつれてその厚み幅が薄くなるくさび型形状を成しており、その出射面３ａと反対側の側面３ｂが光入射端面４ａに対して傾斜して設けられたバックライト１，３１と、前記バックライト１，３１により背面から照射される液晶パネルとを備えた液晶表示装置。
（４）申立人・済藤隆義が提出した甲第３号証：特開平９−１５２３６０号公報
　上記甲号証には、その公報第４頁第５欄第２３〜４６行の【００２０】の記載内容及び同第４頁第６欄第１９〜３９行の【００２２】の記載内容、そして図３〜５の図示内容を総合すると、下記の［事項Ｄ］が記載されていると認められる。
［事項Ｄ］
　断面略細長台形状の長尺状で、平面略細長台形状をなす導光部１２と、導光部１２の長さ方向一端から下方に垂下する支持部１３とにより略Ｌ字棒状に一体成形され、平面略扇形となるよう密接配置される多数の導光ピース１１と、前記各導光ピース１１の長さ方向一端の上方に内装され二次元放物面で構成される光変向手段としての放物面鏡２５と、同じく各導光ピース１１に内装され前記放物面鏡２５の焦点位置に位置するＬＥＤユニット２０とから構成され、前記導光部１２の厚さ方向一側を光反射面１２ａとすると共に他側面を光出射面１２ｂとした車両用メータの指標手段１０。
（５）同甲第４号証：国際公開第９８／１９１０５号パンフレット
　上記甲号証には、その明細書第４６頁第１８行〜第４７頁第９行の記載内容及び同第４７頁第１６行〜第４８頁第４行の記載内容、そして図４２〜４４の図示内容を総合すると、下記の［事項Ｅ］が記載されていると認められる。
［事項Ｅ］
　面光源装置８０と、液晶表示パネル８３と、前記液晶表示パネル８３を動作させる液晶駆動回路９３が形成されている回路基板と、前記液晶表示パネル８３と前記回路基板とを接続するフラットケーブル８８とを備えた液晶表示装置８１。
（６）同甲第５号証：特開平８−９４８４４号公報
　上記甲号証には、その公報第２頁第２欄第２０〜２２行の記載内容及び同第４頁第５欄第９〜１８行の記載内容、そして図２の図示内容を総合すると、下記の［事項Ｆ］が記載されていると認められる。
［事項Ｆ］
　導光板１０Ａの平面１０ａに対して反対側の面１０ｄに、視野角特性を有する透過型液晶表示パネル５０の光利用効率を向上させるためのプリズムアレイが形成され、導光板１０Ａの一側端面に、この側端面に沿った直管形照明灯１２が配置され、その照明光が導光板１０Ａの前記平面１０ａから射出される面照明光に変換される面光源と、非発光型かつ透過型の表示装置である前記透過型液晶表示パネル５０とを備えた非発光型表示装置。
（７）同甲第６号証：特開平５−１３８１８号公報
　上記甲号証には、その公報第２頁第２欄第２〜１８行の記載内容及び同第２頁第２欄第２７〜３３行の記載内容、そして図１，４の図示内容を総合すると、下記の［事項Ｇ］が記載されていると認められる。
［事項Ｇ］
　光源として、赤色、青色そして黄緑色の３種類のＬＥＤチップ４ｂ，４ｃ，４ｄを有する一個の表面実装型ＬＥＤ。
（８）申立人・小林文子が提出した甲第１号証：特開平１０−２５５５３０号公報
　公報第５頁右欄第３〜１０行、第６頁左欄第１７〜１８行、第９頁左欄第６〜２０行、第１０頁右欄第５〜９行の記載、及び図面の図９，３０，３９の図示内容（特に図３０）を総合すると、上記甲号証には、下記の［事項Ｈ］が記載されていると認められる。
［事項Ｈ］
　点光源２１と、前記点光源２１からの光を面内方向に導入する光入射面２８と前記光入射面２８からの光を導く導光部と前記導光部から導かれてきた光を放出する光出射面２５と前記光出射面２５と反対側に設けられ光を散乱させる拡散パターン２６を備えた導光板２４と、を備え、前記点光源２１が前記導光板２４の隅に設けられた前記光入射面２８に近接して配置された面光源装置４６，８０であって、前記光入射面２８は前記点光源２１からの光が入射する面取り部を有し、前記導光板２４は隣接する２辺を有し前記隣接する２辺の間に前記光入射面２８が配置されるとともに、前記隣接する２辺と前記光出射面２５における光有効領域２２との間で前記導光部が形成されている面光源装置４６，８０と、液晶表示パネル８３とを備えた液晶表示装置８１。
（９）同甲第２号証：特開平１０−２２３０２１号公報［上記（１）に同じ］
（10）同甲第３号証：特開平７−３２０５１４号公報
　上記甲号証には、その公報第６頁左欄第２６〜３２行の記載内容、同第６頁右欄第１８〜２１行の記載内容、同第６頁右欄第３１〜３５行の記載内容、同第７頁左欄第１２〜３１行の記載内容、そして図１，４の図示内容を総合すると、下記の［事項Ｉ］が記載されていると認められる。
［事項Ｉ］
　ＬＥＤ３と、前記ＬＥＤ３からの光を面内方向に導入する光入射部と前記光入射部からの光を放出する上面側の光出射面１１と底面側に設けられた拡散反射性シート２を備えた四辺形平板状の光散乱導光体１と、を備え、前記ＬＥＤ３が前記光散乱導光体１のコーナー部に設けられた前記光入射部に近接して配置されたコーナー部光供給型面光源装置であって、前記光入射部は前記ＬＥＤ３からの光が入射する斜め直線カット面１Ａあるいは凹面形状のカット面１Ｂで構成された光入射面を有し、前記ＬＥＤ３を前記光散乱導光体１の四辺形の対角線方向に向けて配置したコーナー部光供給型面光源装置。
（11）同甲第４号証：特開平９−２３０３３８号公報［上記（２）に同じ］
（12）同甲第５号証：特開平１０−１９９３１８号公報
　上記甲号証には、その公報第４頁左欄第１〜２６行の記載内容、同第４頁左欄第３２〜３７行の記載内容及び同第６頁左欄第３〜１０行の記載内容、そして図４〜６，１９の図示内容を総合すると、下記の［事項Ｊ］が記載されていると認められる。
［事項Ｊ］
　点光源１５と、前記点光源１５からの光を面内方向に導入する光入射面１４と前記光入射面１４からの光を導く導光部と前記導光部から導かれてきた光を放出する上面側に設けられた光出射面１２ａ中央の矩形有効領域Ｒと前記矩形有効領域Ｒの下面側に設けられ光を散乱させる拡散パターンを備えた矩形の導光板１２と、を備え、前記点光源１５が前記矩形の導光板１２の前記光入射面１４中央に設けられた凹部１６に装着された面光源装置１１，８０であって、前記矩形の導光板１２の一辺である光入射面１４と平行する前記矩形有効領域Ｒの一辺との間で前記導光部が形成されており、前記凹部１６の両側に矩形有効領域Ｒ外の光を矩形有効領域Ｒ内に集めることができるＶ字状の溝１７が凹設された面光源装置１１，８０と、液晶表示パネル８４とを備えた液晶表示装置８１。
（13）同甲第６号証：特開平９−２５９６２３号公報
　上記甲号証には、その公報第１頁【要約】の記載内容、同第３頁左欄第２〜９行の記載内容及び同第３頁左欄第３８行〜右欄第８行の記載内容、そして図１，２の図示内容を総合すると、下記の［事項Ｋ］が記載されていると認められる。
［事項Ｋ］
　背面側に反射処理２ａが行われた略矩形板状の導光板２と、ＬＥＤランプ３とを主たる構成要素として成るＬＥＤ光源バックライトモジュール１であって、前記導光板２の一辺をなす光源取付辺２１の両端部寄りに光導入部２２の１対を、お互いが隣り合う側である内側部２２ａの光源取付辺２１への切込みを直角に近付け、外側部２２ｂの光源取付辺２１への切込みを平行に近付けた凹面状として形成すると共に、前記１対の光導入部２２間には凹面状とした反射面２３を設けた構成とすることにより、１対の光導入部２２の間では内側部２２ａにより光源取付辺２１と平行方向にＬＥＤランプ３からの光を導入し、この光を反射面２３に当接させて光源取付辺２１に対して直角方向に変換して照明を行わせ、前記外側部２２ｂからの光はそのまま光源取付辺２１に対して直角方向に導入され反射処理２ａで反射されて導光板２の前面から外部に放射されるようにしたＬＥＤ光源バックライトモジュール１。
Ｃ．対比・判断
（１）本件請求項１に係る発明について
　本件請求項１に係る発明（以下、「本件発明１」という。）と上記発明Ａとを対比すると、発明Ａにおける「発光素子１０２」が本件発明１の「光源」に相当し、以下同様に、「導光板角の面取り部」あるいは「面取り部」が「光導入部」に、「発光観測面」が「光放出面」に、「導光板背面に設けられ光の散乱を利用するパターン化された微細な凹凸を施した拡散部」が「光放出面と反対側に設けられ光を散乱させる散乱パターン」に、「導光板１０１」が「導光板」に、「角に相当する隅部」が「角部」に、「面状発光装置」が「面照明装置」に、「接続端面」が「入射面」に、「隣接する２つの側面」が「第１及び第２の外側面」に、「液晶装置」が「液晶表示素子」に、そして「ディスプレイ装置」が「表示装置」に、それぞれ相当すると認められるから、本件発明１と上記発明Ａとは、
「光源と、前記光源からの光を面内方向に導入する光導入部と前記光導入部からの光を導く導光部と前記導光部から導かれてきた光を放出する光放出面と前記光放出面と反対側に設けられ光を散乱させる散乱パターンを備えた導光板と、を備え、前記光源が前記導光板の角部に設けられた前記光導入部に近接して配置された面照明装置であって、前記光導入部は前記光源からの光が入射する入射面を有し、前記導光板は第１及び第２の外側面を有し前記第１及び第２の外側面の間に前記光導入部が配置されるとともに、前記第１及び第２の外側面と前記光放出面の輪郭との間で前記導光部が形成されている面照明装置と、液晶表示素子とを備えた表示装置」、
である点で一致している。
　また、本件発明１は、次のイ〜ニの点で発明Ａと相違する。
イ．本件発明１は、導光板を収納する収納部材を有する点。
ロ．本件発明１の光導入部は、入射した光を反射する反射面を有し、反射面は導光板の端面であって斜面かつ前記光源付近を中心に扇状に広がる曲面で形成されていて前記光源の真上に配置されている点。
ハ．本件発明１の面照明装置は、第１の外側面と第２の外側面が、光放出面の輪郭に対して傾斜して設けられ、第１及び第２の外側面と光放出面の輪郭間で規定される導光部の幅を光導入部に近い部分よりも光導入部から遠い部分の方が狭い点。
ニ．本件発明１は、液晶表示素子を動作させる駆動回路が形成されている回路基板と、液晶表示素子と回路基板とを接続する接続手段とを備え、液晶表示素子に接続された接続手段が引き出された側の導光板の辺を第１の辺とし、同じ側の前記収納部材の外枠の辺を第２の辺とし、液晶表示素子の同じ側の辺を第３の辺としたとき、第１の辺と第２の辺とが非平行で、かつ、第２の辺と第３の辺とが略平行である点。
　
　そこで、相違点について検討すると、上記相違点ロに係る本件発明１の発明特定事項は、上記発明Ａ及び事項Ｂ〜Ｋのいずれにも開示されておらず、また、上記相違点ニに係る本件発明１の発明特定事項のうち、特に、「液晶表示素子に接続された接続手段が引き出された側の導光板の辺を第１の辺とし、同じ側の前記収納部材の外枠の辺を第２の辺とし、液晶表示素子の同じ側の辺を第３の辺としたとき、第１の辺と第２の辺とが非平行で、かつ、第２の辺と第３の辺とが略平行である」点も、上記発明Ａ及び事項Ｂ〜Ｋのいずれにも開示されていない。
　また、上記刊行物１、２（異議申立人・済藤隆義が提出した甲第１、２号証）、申立人・太田恵三が提出した甲第１号証、申立人・済藤隆義が提出した甲第３〜６号証及び申立人・小林文子が提出した甲第１〜６号証のいずれにも、これらの構成についての示唆もない。さらに、この構成は、周知のものであるとも認められない。
  そして、本件発明１は上記の構成を備えることにより、「これにより光源１からの光が光導入部３で拡散されて導光部４内に導入されるため、輝度分布がより改善され、視認性を向上できる。また光源１が導光板２の光導入部３の下方に配置されていることで、光源１が導光板２の側面側に配置されたものに比べ導光板２の厚み分光源１から光導入部３までの距離が増加するため、導光部４の面積を小さくでき、面照明装置をより小型化できる。」（特許公報第４頁第８欄第２５〜３２行参照）及び「本実施の形態の構成では、配線１６を収納部材１１の外枠の辺１１ａに均一に接触させることができるので、振動などの外力が加わっても、配線１６が損傷しにくい面照明装置を得ることができる。」（同第７頁第１４欄第１１〜１４行参照）という作用効果を奏するものと認められる。
　したがって、その他の相違点について検討するまでもなく、本件発明１は、当業者が上記発明Ａ及び事項Ｂ〜Ｋに基いて容易に発明をすることができたものであるとは言えない。
（２）本件請求項２，３に係る発明について
　本件請求項２，３に係る発明は、本件発明１を更に限定するものであるから、上記（１）に記載したと同様の理由で、当業者が上記発明Ａ及び事項Ｂ〜Ｋに基いて容易に発明をすることができたものであると言うことはできない。
（３）本件請求項４に係る発明について
　本件請求項４に係る発明は、前記（１）で述べた、相違点ロに係る本件発明１の発明特定事項を備えるものであるから、上記（１）に記載したと同様の理由で、当業者が上記発明Ａ及び事項Ｂ〜Ｋに基いて容易に発明をすることができたものであると言うことはできない。
（４）本件請求項５に係る発明について
　本件請求項５に係る発明は、本件発明１に係る発明特定事項を備えるものであるから、上記（３）に記載したと同様の理由で、当業者が上記発明Ａ及び事項Ｂ〜Ｋに基いて容易に発明をすることができたものであると言うことはできない。
エ．むすび
　以上のとおりであるから、特許異議申立ての理由及び証拠によっては、本件請求項１〜５に係る発明の特許を取り消すことができない。
　また、本件請求項１〜５に係る発明の特許について、他に取り消すべき理由を発見しない。
　よって、結論のとおり決定する。
【異議決定日】
平成１８年１月１１日（２００６．１．１１）
【訂正の要旨】
審決（決定）の【理由】欄参照。
（５４）【発明の名称】
面照明装置及びこの面照明装置を用いた表示装置及びこの表示装置を用いた携帯機器
（５７）【特許請求の範囲】
　【請求項１】
　
導光板を収納する収納部材と、光源と、前記光源からの光を面内方向に導入する光導入部と前記光導入部からの光を導く導光部と前記導光部から導かれてきた光を放出する光放出面と前記光放出面と反対側に設けられ光を散乱させる散乱パターンを備えた導光板と、を備え、前記光源が前記導光板の角部に設けられた前記光導入部に近接して配置された面照明装置であって、前記光導入部は前記光源からの光が入射する入射面と入射した光を反射する反射面とを有し、前記反射面は前記導光板の端面であって斜面かつ前記光源付近を中心に扇状に広がる曲面で形成されていて前記光源の真上に配置されており、前記導光板は第１及び第２の外側面を有し前記第１及び第２の外側面の間に前記光導入部が配置されるとともに、前記第１及び第２の外側面と前記光放出面の輪郭との間で前記導光部が形成されており、前記第１の外側面と前記第２の外側面が前記光放出面の輪郭に対して傾斜して設けられ、前記第１及び第２の外側面と前記光放出面の輪郭間で規定される前記導光部の幅を前記光導入部に近い部分よりも前記光導入部から遠い部分の方を狭くしたことを特徴とする面照明装置と、
とを
２
　【請求項２】
　液晶表示素子が面照明装置の背面に配置されたことを特徴とする請求項
１
　【請求項３】
　液晶表示素子に接続された配線が引き出された側に面照明装置の光源が配置されていることを特徴とする請求項
２
　【請求項４】
　表示手段と、データ信号もしくは音声信号の少なくとも一方を送信信号に変換するか受信信号をデータ信号もしくは音声信号の少なくとも一方に変換する変換手段と、前記送信信号及び前記受信信号を送受信するアンテナと、各部を制御する制御手段を備えた携帯機器であって、前記表示手段に近接して、
導光板を収納する収納部材と、光源と、前記光源からの光を面内方向に導入する光導入部と前記光導入部からの光を導く導光部と前記導光部から導かれてきた光を放出する光放出面と前記光放出面と反対側に設けられ光を散乱させる散乱パターンを備えた導光板と、を備え、前記光源が前記導光板の角部に設けられた前記光導入部に近接して配置された面照明装置であって、前記光導入部は前記光源からの光が入射する入射面と入射した光を反射する反射面とを有し、前記反射面は前記導光板の端面であって斜面かつ前記光源付近を中心に扇状に広がる曲面で形成されていて前記光源の真上に配置されており、前記導光部は第１及び第２の外側面を有し前記第１及び第２の外側面の間に前記光導入部が配置されるとともに、前記第１及び第２の外側面と前記光放出面の輪郭との間で前記導光部が形成されており、前記第１の外側面と前記第２の外側面が前記光放出面の輪郭に対して傾斜して設けられ、前記第１及び第２の外側面と前記光放出面の輪郭間で規定される前記導光部の幅を前記光導入部に近い部分よりも前記光導入部から遠い部分の方を狭くしたことを特徴とする面照明装置、
　【請求項５】
　表示手段と、データ信号もしくは音声信号の少なくとも一方を送信信号に変換するか受信信号をデータ信号もしくは音声信号の少なくとも一方に変換する変換手段と、前記送信信号及び前記受信信号を送受信するアンテナと、各部を制御する制御手段を備えた携帯機器であって、前記表示手段として請求項
１〜３
【発明の詳細な説明】
　【０００１】
　【発明の属する技術分野】
　【０００２】
　本発明は、表示装置を背面から照明する面照明装置に関し、特に発光ダイオード等の光源を用いた面照明装置、およびそれを用いた表示装置、およびそれを用いた携帯機器に関する。
　【従来の技術】
　【０００３】
　携帯電話やパーソナルハンディホンシステム等に搭載される液晶表示装置のバックライトとして用いられる面照明装置は、その光源として、小型で低消費電力であるチップ形状の発光ダイオードを用いた光源が使われている。さらに最近では、各種携帯情報端末機器や携帯音響機器、デジタルカメラ，ビデオカメラ等の携帯機器に関しても、小型化，電池の長寿命化および耐衝撃性向上等の理由により、表示部の面照明装置用光源が冷陰極管から発光ダイオードに変わりつつある。
　【０００４】
　これら発光ダイオード光源を用いた従来の面照明装置に関しては多様な構成がある。例えば、特公平３−３２０７５号に記載されているように、液晶表示体の背面側に上面発光の発光ダイオード光源を配置して液晶表示体の裏面に向かって直接的に光を照射して照明を行うものがあるが、装置の薄型化や液晶表示素子の背面における電子回路設置上の問題等から、携帯電話等の液晶表示装置のバックライトとしては、この液晶表示体の背面側に直接発光ダイオード光源を配置するものは少なくなっている。これに対して、携帯電話等の液晶表示装置のバックライトとしては、液晶表示素子の表示面の外側に発光ダイオード光源を配置する方法が多くとられており、例えば特公平５−２１２３３号に記載されているように、液晶ユニットの表示面の外側に上面発光の発光ダイオード光源を配置して反射面と樹脂板を用いて光を液晶表示ユニットの下方に導くことによって照明を行うもの等が知られている。
　【０００５】
　このように液晶表示素子の表示面の外側に発光ダイオード光源を配置した一例を、従来の面照明装置として図１１、図１２を用いて説明する。図１１は従来の面照明装置の正面図、図１２は同断面図であり、１３１は発光ダイオードなどの光源、１３２は導光板、１３３は光導入部、１３４は導光部、１３５は光放出部、１３６は光放出部１３５の下面に散乱パターン１３７の形成された散乱面、１３８は散乱面１３６の反対面となる光放出面、１３９は反射シート、１４０は拡散シート、１４１は導光板１３２，反射シート１３９および拡散シート１４０を保持する収納部材、１４１ｃは収納部材１４１に形成された反射面、１４２は光源の実装された回路基板である。光源１３１から発せられた光は反射面１４１ｃで反射された後、光導入部１３３より導光板１３２の内部に入射する。この導光板１３２の内部に入射した光は導光部１３４で拡散されて光放出部１３５に入り、散乱パターン１３７により一部は散乱され光放出面１３８より出射し、また一部は散乱パターン１３７を透過し反射シート１３９により反射され再度光放出部１３５の内部に入射後光放出面１３８より出射される。光放出面１３８より出射した光は拡散シート１３９によりその進行方向を乱され、若干の輝度分布の一様化が図られる。
　【０００６】
　現在、携帯機器の小型軽量化のため、面発光装置においては導光板１３２の小型化が求められている。同時に、低消費電力化および実装等のコスト削減のため、光源１３１の使用数削減が求められている。
　【発明が解決しようとする課題】
　【０００７】
　しかしながら、前記従来の面照明装置等では、小型化のため図１１中に示す導光路長Ｌ２が短小化され、光源の使用数が減ると、光放出面１３８側から見た面内の輝度分布が増加してしまう。図１３は光源の相対発光強度を示すグラフである。従来の技術において、例えば光源を図１１の中央一個のみにすると、図１１中の光放出面１３８のＳ４近辺は主に図１３中Ｐ３付近の光を用いて照明することになるため、主にＰ１付近の光で照明するＳ３部とは大きな輝度差が生じ輝度分布が悪化する。このため、図１１中破線ｖｗおよび破線ｘｙで導光板を切断し、利用する光を図１３中Ｐ４の内側の範囲内に規制することで輝度分布を低減しようとする試みがなされている。ここで、図１１中に示すように、導光板の破線ｖｗと破線ｘｙのなす角Ａ３を導光規制角と呼ぶことにする。この導光規制角Ａ３を狭めることで輝度分布の改善に大きな効果が認められるが、一方で光源から光放出部１３５へ至る導光路長Ｌ２を短小化させるためには逆に導光規制角Ａ３を広げることが必要となる。
　【０００８】
　このように、従来の面照明装置では、導光規制角Ａ３が少なくとも鈍角となり、光源からの光を十分拡散して光放出部１３５に入射させることができないため、図１１におけるＳ３部近傍が明るくなりＳ４部近傍は暗くなるという輝度分布を改善できない。このような輝度分布は、液晶表示素子等のバックライトとして用いる場合、表示文字等が一部見難くなり、さらには暗くて認識できない表示部分を生じることにもなり、表示品質を著しく損なってしまう。
　【０００９】
　そこで、本発明者らは、光源を導光板の角部近傍に配置することを考案した。この光源を導光板の角部に配置した構成を、図７、図８を用いて説明する。図において、２１０は導光板、２１１は収納部材、２１２は光源２１９を保持する基板、２１９は光源、２２０は光放出部、である。光源を導光板の角部に配置することにより、導光板の隅々まで、導光することができるが、図７に示すような配置に光源を配置すると光源近傍の輝度が上昇し、他の部分と比較して、極端に明るいという課題が発生する。それを改善するために、図８に示すように、光放出部２２０から光源２１９を離して配置すると、光放出部２２０以外のＢ１、Ｂ２領域が存在するため、Ｂ１、Ｂ２領域に導光した光が有効に活用されないと言う課題が発生する。
　【００１０】
　本発明は、上記の従来の課題を解決するものであり、発光ダイオード等の光源の使用数が少なく、光源を導光板の角部近傍に配置しても、輝度分布が良好でかつ平均輝度が高い面照明装置を提供することを目的とする。
　【課題を解決するための手段】
　【００１１】
　上記の課題を解決するため、本発明の面照明装置は、光源と、光源からの光を面内方向に導入する光導入部と光導入部からの光を導く導光部と導光部から導かれてきた光を放出する光放出面と光放出面と反対側に設けられ光を散乱させる散乱パターンを備えた導光板と、を備え、光源が導光板の角部に設けられた光導入部に近接して配置された面照明装置であって、導光板は第１及び第２の外側面を有し第１及び第２の外側面の間に光導入部が配置されるとともに、第１及び第２の外側面と光放出面の輪郭との間で導光部が形成されており、第１の外側面と第２の外側面を光放出面輪郭に対して傾斜して設けることで、導光部において第１及び第２の外側面と光放出面の輪郭間で規定される幅を光導入部に近い部分よりも光導入部から遠い部分の方を狭くした。
　【発明の実施の形態】
　【００１２】
　請求項１に記載の発明は、光源と、前記光源からの光を面内方向に導入する光導入部と前記光導入部からの光を導く導光部と前記導光部から導かれてきた光を放出する光放出面と前記光放出面と反対側に設けられ光を散乱させる散乱パターンを備えた導光板と、を備え、前記光源が前記導光板の角部に設けられた前記光導入部に近接して配置された面照明装置であって、前記導光板は第１及び第２の外側面を有し前記第１及び第２の外側面の間に前記光導入部が配置されるとともに、前記第１及び第２の外側面と前記光放出面の輪郭との間で前記導光部が形成されており、前記第１の外側面と前記第２の外側面が前記光放出面の輪郭に対して傾斜して設けられ、前記第１及び第２の外側面と前記光放出面の輪郭間で規定される前記導光部の幅を前記光導入部に近い部分よりも前記光導入部から遠い部分の方を狭くしたことにより、光源から光放出部へ至る導光部の広がりを狭められ、光導入部から光放出部へ至る導光路長を短くしても、光源の発する光を光放出部の隅々まで導くことができ、不要な導光板領域を削減でき面発光効率を向上できる。
　【００１３】
　請求項２に記載の発明は、光導入部が、斜面を有する導光板の端面と、端面に略密着した光反射材とにより構成され、光源が導光板の光導入部の下方に配置されたことにより、光源が導光板の側面側に配置されたものに比べ導光板の厚み分光源から光導入部までの距離が増加するため、導光部の面積を小さくできる。
　【００１４】
　請求項３に記載の発明は、請求項１に記載の面照明装置において、光源として、少なくとも１個以上の発光素子を有する一個の発光ダイオードを使用したものであり、発光効率の高い発光ダイオードを一個のみ使用することで消費電力を削減でき、かつ発光ダイオードの個体間の色バラツキを考慮しなくてよく、１個以上の発光素子を有することで、発光色の切換ができるや故障時の予備として用いることができる。
　【００１５】
　請求項４に記載の発明は、液晶表示素子と、前記液晶表示素子を動作させる駆動回路が形成されている回路基板と、前記液晶表示素子と前記回路基板とを接続する接続手段と、導光板を収納する収納部材を備えた請求項１〜３に記載の面照明装置とを備え、前記液晶表示素子に接続された前記接続手段が引き出された側の導光板の辺を第１の辺とし、同じ側の前記収納部材の外枠の辺を第２の辺とし、前記液晶表示素子の同じ側の辺を第３の辺としたとき、前記第１の辺と前記第２の辺とが非平行で、かつ、前記第１の辺と前記第３の辺とが略平行であることにより、収納部材の外枠の辺で液晶表示素子に接続された配線を損傷を抑制で、故障や誤動作の少ない、信頼性の高い表示装置とすることができる。
　【００１６】
　請求項５に記載の発明は、液晶表示素子が面照明装置の背面に配置されたことにより、面照明装置を小型化かつ低消費電力化でき、表示装置の表示面の輝度分布も少なくできる。
　【００１７】
　請求項６に記載の発明は、請求項５に記載の表示装置において、液晶表示素子の表示用配線が引き出された側に面照明装置の光源が配置されている構成としたものであり、光源を液晶表示素子の表示用配線で覆うため、光源からの迷光があってもそれが表示面から漏れ出るのを防ぐことができる。
　【００１８】
　請求項７に記載の発明は、表示手段と、データ信号もしくは音声信号の少なくとも一方を送信信号に変換するか受信信号をデータ信号もしくは音声信号の少なくとも一方に変換する変換手段と、前記送信信号及び前記受信信号を送受信するアンテナと、各部を制御する制御手段を備えた携帯機器であって、前記表示手段に近接して請求項１〜３いずれか１記載の面照明装置を配置したことにより、表示手段の輝度分布が良好で視認性に優れ、小型化かつ低消費電力の携帯機器を実現することができる。
　【００１９】
　また請求項８に記載の発明は、表示手段と、データ信号もしくは音声信号の少なくとも一方を送信信号に変換するか受信信号をデータ信号もしくは音声信号の少なくとも一方に変換する変換手段と、前記送信信号及び前記受信信号を送受信するアンテナと、各部を制御する制御手段を備えた携帯機器であって、前記表示手段として請求項４〜６いずれか１記載の表示装置を配置したことにより、表示手段の輝度分布が良好で視認性に優れ、小型化かつ低消費電力の携帯機器を実現することができる。
　【００２０】
　次に、本発明の本実施の形態について、図を用いて説明する。
　【００２１】
（実施の形態１）
　図１は本発明の実施の形態１における面照明装置の正面図、図２は本発明の実施の形態１における面照明装置の断面図、図３は本発明の実施の形態１における面照明装置の要部正面図である。
　【００２２】
　１は光源で、豆電球、麦球、発光ダイオード等が考えられるが、ここでは非常に微小な光放出面積（具体的には２．５ｍｍ２以下）を有する点状光源であり、小型で発光効率の高い発光ダイオードを用いた。これにより、消費電力を低減できるとともに光源の設置面積を低減できるので、面照明装置の小型化を実現できる。特に光源１として、一個の発光ダイオードのみ使用することにより、輝度分布を悪化させることなく最も小型化でき、さらに消費電力を削減でき、かつ発光ダイオードの個体間色バラツキを考慮しなくても、色むら等の不都合が発生することがなくなる。
　【００２３】
　なお光源１は１つの発光素子を有するものを用いても、複数の発光素子を有するものを用いてもよい。発光ダイオードに複数の発光素子が形成されている場合には、発光素子を選択的に用いることができるので、発光色を替えたり、故障時のスペアとして利用することができる。
　【００２４】
　２は導光板であり、材質としてはメタクリル樹脂やポリカーボネイト樹脂等の高透過特性を有する有機材料やガラスが好適であるが、本実施の形態では、金型による射出成型が可能で形状の自由度と量産性が高い樹脂製とし、さらに光の透過率が高い（実質的に９０％以上）メタクリル樹脂を用いた。
　【００２５】
　導光板２は、光導入部３，導光部４，光放出部５より構成されている。なお、図３中の光放出部５の角部ｒ，ｎを結ぶ点線は、導光部４と光放出部５の境界の概要を示しており、ｍ，ｑ，ｐ，ｌ，ｏはそれぞれ導光板２の所定の角部を示している。
　【００２６】
　まず光導入部３は、導光板２の面内方向に光を導く働きを有し、光源１が導光板２の下方に形成されている場合には、光が入射する入射面と、その入射面から入射してきた光を光放出部５の方に反射する働きを有する反射面から形成されることが多い。この反射面は、導光板２の端面に、斜面でかつ光源１付近を中心に扇状に広がる曲面で構成され、光源１のほぼ真上に配置されている。これにより光源１からの光が光導入部３で拡散されて導光部４内に導入されるため、輝度分布がより改善され、視認性を向上できる。また光源１が導光板２の光導入部３の下方に配置されていることで、光源１が導光板２の側面側に配置されたものに比べ導光板２の厚み分光源１から光導入部３までの距離が増加するため、導光部４の面積を小さくでき、面照明装置をより小型化できる。
　【００２７】
　次に、光放出部５は、光を導光板２から外部に放出する部分であり、一方の面は光を外部に放出する光放出面８となっており、反対側の端面は、散乱パターン７の形成された散乱面６となっている。散乱パターン７は乳白色〜白色インクで光放出部５の下面に印刷されたドットであり、図３中に示すように光源１から離れるにつれ面積比率が増加するように配置されている。光放出部５に入射した光は光源１に近い方が明るくなる傾向にあり、このため上記のように散乱パターン７の印刷面積を変化させることにより光放出面８の輝度分布をある程度均一化することができる。
　【００２８】
　散乱パターン７の乳白色〜白色インクとしてはメジウムに酸化チタン等の白色微粒子を分散させたものが好適であるが、必ずしも着色粒子を混入せずともよく、インク中にインクより屈折率の大きいガラスビーズを入れたり、インク中にインクより屈折率の小さい空気泡を混入したものを用いても同様の効果が得られる。また散乱パターン７を、印刷ではなく微少な突起または窪みを導光板２の下面に直接多数形成することにより構成してもよい。また導光板２の端面に近接するように別部材で形成してもよい。
　【００２９】
　導光部４は、導光板２の端部ｑ，ｍから相対する角部ｐ，ｌに向かってＶ字状に広がるように形成されている。
　【００３０】
　９は散乱面６の下側に置かれた高反射率の反射シートであり、表面に酸化チタン等が混入された白色の反射層が形成されている。
　【００３１】
　１０は導光板２の光放出部５の上面に置かれた拡散シートで、表面に微小な凹凸が形成された半透明のフィルムであり、光放出部５からの出射光を散乱させることで照明輝度の均一化に寄与する。
　【００３２】
　１１は導光板２，反射シート９および拡散シート１０を所望の位置に保持する収納部材であり、本実施例では形状自由度と量産性の観点から樹脂製とした。樹脂の種類としてはアクリロニトリル−ブタジエン−スチレン、ポリカーボネイトなどが好ましく、また色は白色等の反射率の高い色が好ましい。
　【００３３】
　１２は回路基板であり、光源１が実装され、収納部材１１を定位置に保持して光源１が導光板２の光導入部３の真下に配置されるよう位置を規制している。
　【００３４】
　以上のように構成された本実施の形態における面照明装置の動作について説明する。まず、光源１からの光は光導入部３で反射され、多くはメタクリル樹脂と空気の界面で起こる全反射条件を満たす角度成分を持つ光となって導光板２内に導かれる。導光板２に入射した光は導光部４において導光板２の幅方向に拡げられ、光放出部５へと導かれる。光放出部５では、その内部に導光部４より導入された光が全反射により効率よく閉じ込められるが、下面の散乱パターン７に当たった光はランダムな方向に反射あるいは透過され、全反射の臨界角を超える成分を持った光のみ導光板２の外側に出る。このうち、光放出面８に到達した光は外部に出射されるが、反射シート９および収納部材１１に当たった光は反射されて再度光放出部５の内部に戻る。こうして、導光板２内に導かれた光は、途中で吸収されるものを除きほとんどが光放出面８より出射されて面照明が行われる。
　【００３５】
　このように光源１からの光を、光導入部３の入射面から入射させ、反射面で反射してから導光板２の面内方向に導くことにより、導光板２の厚みにより光源１から光導入部３までの距離が増加する分導光部４の面積を小さくでき、面照明装置をより小型化できる。
　【００３６】
　本実施の形態においては、光源１を導光板２の角部に配置し、そこから出射された光を導光板２の面内方向に導く際に、入射する光の分布の中心軸が、導光板２の外周の辺３１，３２に対して傾斜して導入するような構成としたことにより、導光板２の光放射部５により均一な輝度分布を待たせることができるので、視認性の良好な面照明装置を実現することができる。
　【００３７】
　本実施の形態においては、光源１を導光板２の角部に設けられた光導入部３に近接して設ける、若しくは光放出部５の角部に近接して配置し、導光板２の外周側面のうち光導入部３を挟む第１の面と第２の面において、第１の面の光放出面８側の長さを第一の面に対向する第３の面の長さよりも長く形成するとともに、第２の面の光放出面８側の長さを第２の面に対向する第４の面の長さよりも長く形成している。具体的には、図３中に示すように、導光板２の対向する第１の辺３１と第３の辺３３の組と第２の辺３２と第４の辺３４の組のそれぞれが、長さが異なり、非平行となるように構成している。この構成により、図７で示した構成で課題となっていた発光ダイオード近傍が極端に明るくなることを防止でき、かつ、図８における導光板２の不要領域Ｂ１、Ｂ２を削除した構成であるため、光放出部の輝度に寄与しない導光を削減でき、面発光効率を向上させることができる。
　【００３８】
　なお本実施の形態においては、辺３１〜３４はすべて直線で構成されていたが、曲面や屈曲点を有する場合も考えられる。この場合導光板２の端点と考えられる点（この場合の頂点ｏ，ｐ，ｑ，ｍ，ｌに相当する点）をそれぞれ結んだ直線を考えることにより、本発明の考え方を適用することが可能になる。
　【００３９】
　また、本実施の形態においては、導光板２の外周面のうち、辺３２が含まれる面が、光源１から遠ざかるに連れて光放出部５を構成する辺５ｂに近づいていくように、また辺３１が含まれる面が、光源１から遠ざかるに連れて光放出部５を構成する辺５ａに近づいていくように構成されている。このような構成としたことにより、光源１から出射された光をより効果的に光放出部５方向に導くことができるので、輝度分布のより一層の均一化を図ることができ、特に領域Ｓ２部をより効率よく照らすことができる。さらに導光板２の投影面積をより小さくすることができるので、面照明装置内の空間の利用効率の向上を図ることができ、面照明装置の小型化ならびに設計の自由度の向上を図ることができる。
　【００４０】
　実際に、光放出面が一辺３０ｍｍの正方形であり、導光路長Ｌ１が３ｍｍ，導光板２の厚みが１ｍｍ，光源１として窒化ガリウム系の緑色発光ダイオードを一個用い、対向する辺の長さが等しくて、平行な面照明装置の一例として、前述の図７の構成のものを作成した。図７は、収納部材の外径が小さくできて、小型化は可能であるが、光放出部２２０の最大輝度と最低輝度の比（Ｒ＝ｍａｘ／ｍｉｎ）をとると、発光ダイオード近傍が極端に明るいため、その比が小さく、Ｒ＝０．２以下になってしまう。視覚的認識から、最大と最小の輝度比Ｒは、０．５５以上が求められるのに対して、図７の構成では不十分である。一方、本実施の形態においては、光放出部５から光源１をＬ１だけ離したことにより、発光ダイオード近傍が極端に明るくなることが無く、上記の最大と最小の輝度比はＲ＝０．６７を示し、視覚認識上、充分満足されるものであった。
　【００４１】
　また、光放出面が一辺３０ｍｍの正方形であり、導光路長Ｌ１が３ｍｍ，導光板２の厚みが１ｍｍ，光源１として窒化ガリウム系の緑色発光ダイオードを一個用い、対向する辺の長さが等しくて、平行な面照明装置の一例として、前記図８の構成のものを作成した。図８と本実施の形態は収納部材の外径は全く同じである。図８の構成で、光放出部２２０の３６点の輝度を測定して平均した平均輝度は、３５ｃｄ／ｍ２であったのに対して、本実施の形態においては、平均輝度が４０ｃｄ／ｍ２以上を示し、面発光効率が図８の構成に比較して、優れていることがわかる。これは、図８の構成では存在する不要領域Ｂ１、Ｂ２があるため、その領域に導光された光が、光放出部２２０の平均輝度向上にあまり寄与していないためである。
　【００４２】
　このように、本実施の形態においては、導光板２の対向する第１の辺３１と第３の辺３３の組と第２の辺３２と第４の辺３４の組のそれぞれが、長さが異なり、非平行である構成によって、発光ダイオード近傍が極端に明るくなることが無く、平均輝度も充分高い面照明装置を得ることができる。また光源数の減少は消費電流の削減を可能とし、同時に光源の基板への実装工程を簡略化でき、低消費電力で量産性に優れた面照明装置を得ることができる。
　【００４３】
（実施の形態２）
　図６は本発明の実施の形態２における面照明装置の正面図である。図中の光源１，反射シート９，拡散シート１０，収納部材１１，回路基板１２は実施の形態１で述べたものと同様であり、ここでは説明を省略する。
　【００４４】
　本実施の形態では、光放出部５が長方形になっており、光源１が１個であるため、長方形の長手方向に光を多く分配する必要がある。ここで、導光板２の光放出面８側の辺のうち光源１に近接する２辺を第１の辺３１及び第２の辺３２とし、第１の辺３１に対向する辺を第３の辺３３、第２の辺３２に対向する辺を第４の辺３４としたとき、導光板２の第１の辺３１と第２の辺３２をともに延長した交点を第１の頂点４１とし、第３の辺３３と第４の辺３４が形成する頂点を第２の頂点４２としたとき、第１の頂点４１と第２の頂点４２とで形成される直線と、第１の辺の光源１に近い端点と第２の辺の光源１に近い端点を結ぶ第６の辺３６が、成す角をＡ５とする。このＡ５が直角である構成にすることにより、光放出部５の長方形長手方向の光源１から最も遠い部分まで、充分導光が可能になり、長方形である光放出部５の輝度ムラが改善される。ここで、Ａ５は９０度であることが望ましいが、第１の辺の光源１に近い端点と第２の辺の光源１に近い端点の位置を変えることにより、第６の辺の傾きを変え、Ａ５の角度を変えることができる。上記のように、Ａ５の角度を変えたときの輝度ムラＲの変化を示した特性図を図９に示す。図９は、本発明の実施の形態２における面照明装置の第６の辺の成す角度と、輝度ムラの関係を示す特性図である。図９からも、わかるように角Ａ５が９０度の場合が、最も高い値を示すのでＡ５は略垂直であることが好ましいが、前にも述べたように、視覚的認識から、最大と最小の輝度比Ｒは、５５％以上であれば面照明装置として利用可能であるので、Ａ５の角度は、７５度から１０５度の間であればよいことになる。
　【００４５】
　なお本実施の形態においては、辺３１〜３４はすべて直線で構成されていたが、曲面や屈曲点を有する場合も考えられる。この場合導光板２の端点と考えられる点（この場合の頂点ｏ，ｐ，ｑ，ｍ，ｌに相当する点）をそれぞれ結んだ直線を考えることにより、本発明の考え方を適用することが可能になる。
　【００４６】
　また、本実施の形態の面照明装置を用いれば、光放出面の形状がどのような形のものであっても、小型で低消費電力でかつ表示部の視認性の良い表示装置および携帯機器を得ることができる。
　【００４７】
（実施の形態３）
　次に実施の形態１，２に示した面照明装置を電子機器に用いた例として、特に使用頻度の高い携帯機器を例にあげて説明する。
　【００４８】
　図４，図５及び図１０はそれぞれ本発明の実施の形態３における携帯機器の斜視図，断面図及びブロック図である。図４，図５及び図１０において、１９は音声を音声信号に変換するマイク、２０は音声信号を音声に変換するスピーカー、２５はダイヤルボタン等から構成される操作部、１３は表示部で、表示部１３は、着信情報や発信情報及び検索情報等により電話番号や相手の名前等のキャラクター等を表示し、液晶等のにより構成されることが多く、その下方には実施の形態１〜２に示した面照明装置が搭載されている。２１はアンテナ、２２はマイク１９からの音声信号を復調して送信信号に変換する送信部で、送信部２２で作製された送信信号は、アンテナ２１を通して外部に放出される。２３はアンテナ２１で受信した受信信号を音声信号に変換する受信部で、受信部２３で作成された音声信号はスピーカー２０にて音声に変換される。２４は送信部２２，受信部２３，操作部２５，表示部１３を制御する制御部である。
　【００４９】
　以下その動作の一例について説明する。
　【００５０】
　先ず、着信があった場合には、受信部２３から制御部２４に着信信号を送出し、制御部２４は、その着信信号に基づいて、表示部１３に所定のキャラクタ等を表示させ、更に操作部２５から着信を受ける旨のボタン等が押されると、信号が制御部２４に送出されて、制御部２４は、着信モードに各部を設定する。即ちアンテナ２１で受信した信号は、受信部２３で音声信号に変換され、音声信号はスピーカー２０から音声として出力されると共に、マイク１９から入力された音声は、音声信号に変換され、送信部２２を介し、アンテナ２１を通して外部に送出される。
　【００５１】
　次に、発信する場合について説明する。
　【００５２】
　まず、発信する場合には、操作部２５から発信する旨の信号が、制御部２４に入力される。続いて電話番号に相当する信号が操作部２５から制御部２４に送られてくると、制御部２４は送信部２２を介して、電話番号に対応する信号をアンテナ２１から送出する。この時入力された信号は、表示部１３に表示されていることが多い。その送出信号によって、相手方との通信が確立されたら、その旨の信号がアンテナ２１を介し受信部２３を通して制御部２４に送られると、制御部２４は発信モードに各部を設定する。即ちアンテナ２１で受信した信号は、受信部２３で音声信号に変換され、音声信号はスピーカー２０から音声として出力されると共に、マイク１９から入力された音声は、音声信号に変換され、送信部２２を介し、アンテナ２１を通して外部に送出される。
　【００５３】
　なお、本実施の形態では、音声を送信受信した例を示したが、音声に限らず、文字データ等の音声以外のデータの送信もしくは受信の少なくとも一方を行う電子機器についても同様な効果を得ることができる。
　【００５４】
　次に図５を用いて表示部１３付近の構成をさらに詳細に説明する。図５は、図４におけるＡ−Ａ断面を示している。
　【００５５】
　１４は樹脂等よりなる筺体であり、その一部に前述の表示部１３が設けられている。１７は液晶を用いた表示装置で、表示装置１７は、本実施の形態１若しくは２の面照明装置の上に半透過半反射型の液晶表示素子１５が搭載され、液晶表示素子１５の表示用配線１６が面照明装置の光源１を覆う位置にくるよう配置されており、表示用配線１６は回路基板１２に接続されている。表示装置１７は、本実施の形態１若しくは２の面照明装置を用いることで視認性を低下させることなく小型化かつ低消費電力化が図られ、また光源１からの迷光が発生し光放出面８以外から光が漏れた場合でも、液晶表示素子１５の表示用配線１６によりそのほとんどが遮蔽され、その迷光が表示面から漏れ出るのを防ぐことができるので、視認性のさらなる向上が図られている。
　【００５６】
　表示部１３は、液晶表示素子１５を透明部材よりなる表示窓１８を通して視認する構成となっており、液晶表示素子１５の使用により、小型で低消費電力でかつ表示部の視認性の良い携帯機器を得ることができる。
　【００５７】
　また、本実施の形態では、液晶表示素子１５に接続された配線１６が引き出された側の導光板２の光放出面８側の辺３１と同じ側の収納部材１１の外枠の辺１１ａとが非平行で、かつ辺１１ａと液晶表示素子１５の端部を形成する辺１５ａが略平行である構成にしている。単に、収納部材１１の外径寸法を小さくするためには、導光板２の辺３１に平行に収納部材１１を削ればよい。しかしながら、そのような構造では、光放出部５の辺５ａに対して辺１５ａが略平行に配置される液晶表示素子１５から引き出される表示用配線１６は、辺３１若しくは削った収納部材１１の端部に対して略平行でないため、帯状の表示用配線１６の一方だけが収納部材１１の端部と接触する構造になる。これでは、振動その他の外力により、片当たりする表示用配線１６は損傷してしまう。これに対して本実施の形態の構成では、配線１６を収納部材１１の外枠の辺１１ａに均一に接触させることができるので、振動などの外力が加わっても、配線１６が損傷しにくい面照明装置を得ることができる。
　【００５８】
　このように実施の形態１，２で示した面照明装置を用いることによって、携帯機器の表示部において、輝度むらを小さくできるので、使用者に見やすい、従って誤認の少ない携帯機器を実現することができる。また１つの点状光源しか用いないので、消費電力が極めて少ない携帯機器を実現することができる。
　【発明の効果】
　【００５９】
　本発明は、光源と、光源からの光を面内方向に導入する光導入部と光導入部からの光を導く導光部と導光部から導かれてきた光を放出する光放出面と光放出面と反対側に設けられ光を散乱させる散乱パターンを備えた導光板と、を備え、光源が導光板の角部に設けられた光導入部に近接して配置された面照明装置であって、導光板は第１及び第２の外側面を有し第１及び第２の外側面の間に光導入部が配置されるとともに、第１及び第２の外側面と光放出面の輪郭との間で導光部が形成されており、第１の外側面と第２の外側面を光放出面に対して傾斜して設けることで、導光部において第１及び第２の外側面と光放出面の輪郭間で規定される幅を光導入部に近い部分よりも光導入部から遠い部分の方を狭くしたことで、光源から光放出部へ至る導光部の広がりを狭められ、光導入部から光放出部へ至る導光路長を短くしても、光源の発する光を光放出部の隅々まで導くことができ、不要な導光板領域を削減できる。これにより、発光ダイオード等の光源の使用数が少なく、光源を導光板の角部近傍に配置しても、輝度分布が良好でかつ平均輝度が高い面照明装置を得ることができる。
【図面の簡単な説明】
　【００６０】
　【図１】
　本発明の実施の形態１における面照明装置の正面図
　【図２】
　本発明の実施の形態１における面照明装置の断面図
　【図３】
　本発明の実施の形態１における面照明装置の要部正面図
　【図４】
　本発明の実施の形態３における携帯機器の正面図
　【図５】
　本発明の実施の形態３における携帯機器の断面図
　【図６】
　本発明の実施の形態２における面照明装置の正面図
　【図７】
　従来の面照明装置の正面図
　【図８】
　従来の面照明装置の正面図
　【図９】
　本発明の実施の形態２における面照明装置の第６の辺の成す角度と、輝度ムラの関係を示す特性図
　【図１０】
　本発明の実施の形態３における携帯機器のブロック図
　【図１１】
　従来の面照明装置の正面図
　【図１２】
　従来の面照明装置の断面図
　【図１３】
　光源の相対発光強度を示すグラフ
　【符号の説明】
　【００６１】
　１　光源
　２　導光板
　３　光導入部
　４　導光部
　５　光放出部
　６　散乱面
　７　散乱パターン
　８　光放出面
　９　反射シート
　１０　拡散シート
　１１　収納部材
　１２　回路基板
　１３　表示部
　１４　筺体
　１５　液晶表示素子
　１６　表示用配線
　１７　表示装置
　１８　表示窓
　１９　マイク
　２０　スピーカー
　２１　アンテナ
　２２　送信部
　２３　受信部
　２４　制御部
　２５　操作部
　３１　第１の辺
　３２　第２の辺
　３３　第３の辺
　３４　第４の辺
　３５　第５の辺
　３６　第６の辺
　４１　第１の頂点
　４２　第２の頂点